(57)【特許請求の範囲】
【請求項１】
魚釣りに用いられるルアーであって、
頭部側に釣糸連結部を有する水に浮かぶルアー本体を備えており、
前記ルアー本体は、内部に形成される注水部と、外表面から前記注水部に向けて貫通する貫通孔とを備え、
前記注水部は、前記ルアー本体の尾部側に形成されており、
前記貫通孔は、前記ルアー本体の頭部側に位置する前記注水部の端部の近傍と、該端部の位置に対応する前記ルアー本体の外表面の一部分とを貫通するルアー。
【請求項２】
前記ルアー本体の尾端部に取り付けられる錘体を備える請求項１に記載のルアー。
【請求項３】
前記ルアー本体は、木材から形成されている請求項１又は２に記載のルアー。
【発明の詳細な説明】
【技術分野】
【０００１】
本発明は、ルアーに関する。
【背景技術】
【０００２】
従来より、ブラックバスやシーバス（スズキ）、ロウニンアジなどの肉食性の魚を釣る道具として、ルアーが用いられており、多種多様なものが製造・販売されている。このルアーの中で、いわゆるトップ・ウォーター型と称されるものがある。このトップ・ウォーター型ルアーは、水中にあまり潜らず、水面にて動作して魚をおびき寄せるように構成されている。このタイプのルアーは、魚が水面にて食いつく姿を釣り人が確認することができるので、人気の高いものである。
【０００３】
このトップ・ウォーター型ルアーは、例えば、特許文献１に開示されているように、魚の形状を模倣したルアー本体と、ルアー本体の尾部に取り付けられた錘体と、ルアー本体の頭部に設けられ釣糸が連結される釣糸連結部と、ルアー本体に取り付けられた釣針とを有している。
【０００４】
このルアーは、釣糸連結部に釣糸を連結した状態で水中にキャスティングされる。そして、キャスティング後、ルアー本体の尾部に取り付けられた錘体によって尾部付近を水底方向に沈め、頭部付近が浮き出た状態で水面付近に浮遊する。釣り人が釣糸を引き寄せてリトリーブすると水面付近で水の抵抗を受けて、様々なアクションをおこして魚をおびき寄せる。
【特許文献１】特開２０００−３４２１１７号公報
【発明の開示】
【発明が解決しようとする課題】
【０００５】
しかしながら、上述のトップ・ウォーター型ルアーは、水面浮遊時における姿勢を安定的に保つのが困難であるという問題があった。これは、ルアー本体に取り付けられる錘体を重くすることによって対処することも可能ではあるが、このような方法により姿勢の安定化を図った場合、ルアー全体の重量が重くなり、ルアーをキャストしにくいといった問題や、竿やリールに過度の負荷が生じてしまうという問題があった。特に、大型魚を釣るために大きいルアーを使用する場合、ルアー本体の浮力がその大きさに比例して大きくなるため、より重い錘体を使用する必要が生じるので、このような問題が顕著になる。
【０００６】
本発明は、このような問題を解決するためになされたものであって、姿勢を安定的に保つことができるルアーの提供を目的とする。
【課題を解決するための手段】
【０００７】
本発明の上記目的は、魚釣りに用いられるルアーであって、頭部側に釣糸連結部を有する水に浮かぶルアー本体を備えており、前記ルアー本体は、内部に形成される注水部と、外表面から前記注水部に向けて貫通する貫通孔とを備えるルアーにより達成される。
【０００８】
また、このルアーにおいて、前記ルアー本体の尾端部に取り付けられる錘体を備えることが好ましい。
【０００９】
また、前記注水部は、前記ルアー本体の尾部側に形成されていることが好ましい。
【００１０】
また、前記貫通孔は、前記ルアー本体の頭部側に位置する前記注水部の端部の近傍と、該端部の位置に対応する前記ルアー本体の外表面の一部分とを貫通することが好ましい。
【００１１】
また、前記ルアー本体は、木材から形成されていることが好ましい。
【発明の効果】
【００１２】
本発明によれば、姿勢を安定的に保つことができるルアーを提供することができる。
【発明を実施するための最良の形態】
【００１３】
以下、本発明に係るルアーについて添付図面を参照して説明する。図１は本発明の一実施形態に係るルアーの上面図であり、図２は側面図、図３は図１のＡ−Ａ断面図である。
【００１４】
本実施形態に係るルアー１は、魚釣りに用いられるいわゆる疑似餌であり、図１〜３に示すように、ルアー本体２、釣糸連結部３、錘体４、第１釣針５、第２釣針６、第１フックハンガー７および第２フックハンガー８を備えている。なお、このルアー１は、トップ・ウォーター型ルアーの一種であるペンシルベイトタイプのルアーである。
【００１５】
ルアー本体２は、ブラックバス等の肉食魚の注意を引く形状を有しており、例えば、バルサやヒノキ等の木材や、ＡＢＳ（Acrylonitrile Butadiene Styrene）樹脂等のプラスチック材料、硬質発泡スチロール、或いは、金属材料から形成されている。このルアー本体２の外表面には、小魚に似せて目や鱗の模様が塗装されている。また、ルアー本体２は、ルアー本体２の尾部２ｂ側の内部に形成される注水部２１と、外表面から注水部２１に向けて貫通する複数の貫通孔２２ａ〜２２ｆとを備えている。このような構成により、貫通孔２２ａ〜２２ｆを介して水が注水部２１に流入可能になる。なお、貫通孔の形状や孔数については、特に限定されない。
【００１６】
注水部２１は、ルアー本体２の尾端部２ｅに開口するように形成されている。この注水部２１は、例えば、ルアー本体２の尾端部２ｅからドリルによって穴を開けることにより形成することができる。
【００１７】
複数の貫通孔２２ａ〜２２ｆは、ルアー本体２の背部２ｃおよび腹部２ｄに開口するように形成されている。また、複数の貫通孔２２ａ〜２２ｆの内、一部の貫通孔２２ａ，２２ｄは、ルアー本体２の頭部２ａ側に位置する注水部２１の端部２１ａの近傍と、頭部２ａおよび尾部２ｂを結ぶラインに沿う方向において、この端部２１ａの位置に対応するルアー本体２の外表面の一部分とを貫通するように構成されている。
【００１８】
釣糸連結部３は、釣糸を連結するためのものであり、ルアー本体２の頭部２ａに取り付けられている。
【００１９】
錘体４は、水面や水中におけるルアー１の姿勢を適正なものとするバランサーとしての機能や、キャストの飛距離を伸ばすという機能を有している。この錘体４には、孔部が形成されており、後述の第２フックハンガー８を介して、ルアー本体２の尾端部２ｅの開口を閉塞するように取り付けられている。錘体４は、例えば、アルミニウム、真鍮、鉛、ステンレススチール、チタン、タングステン等の金属材料により形成されている。
【００２０】
第１及び第２釣針５，６は、従来からルアーフィッシングで用いられているトリプルフックであり、それぞれ三つの針部５１，６１とフックアイ５２，６２とを備えている。
【００２１】
第１フックハンガー７は、第１釣針５を連結するための部材であり、ルアー本体２の腹部２ｄに取り付けられている。
【００２２】
第２フックハンガー８は、第２釣針６および錘体４をルアー本体２に取り付けるための棒状の部材である。この第２フックハンガー８の一端部にはオスねじ部８１が形成されており、第２フックハンガー８をルアー本体２に着脱自在に取り付けられるように構成されている。また、第２フックハンガー８の他端部には第２釣針６が取り付けられるアイ８２が形成されている。第２釣針６が取り付けられた第２フックハンガー８をルアー本体２に取り付けるには、まず、オスねじ部８１が形成されている一端部を錘体４の孔部に挿入して、第２フックハンガー８の軸部８３に錘体４を通した後、ルアー本体２の尾部２ｂにおける開口から一端部を注水部２１内に挿入し、オスねじ部８１をルアー本体２に螺着して取り付ける。
【００２３】
このように構成されたルアー１は、釣糸連結部３に釣糸を連結した状態で水中にキャスティングされる。そして、キャスティング後、釣り人が釣糸を引き寄せてリトリーブすると共に、竿を上下左右に振動させてアクションを加えることにより、ルアー１に様々な動きを与えて魚をおびき寄せる。
【００２４】
キャスティングされたルアー１は、一端水中に没した後、ルアー１に作用する浮力および錘体４の作用により、ルアー１の尾部２ｂが水底方向に沈み、頭部２ａが水面から浮き出た状態で水面に浮かぶことになるが、キャスティングされたルアー１が一端水中に没したときに、貫通孔２２ａ〜２２ｆを介して水が注水部２１に流入するので、ルアー１に作用する浮力が小さくなるため、ルアー１の頭部２ａが水面から浮き出た状態になりやすくなり、水面浮遊時におけるルアー１の姿勢を安定的に保つことが可能になる。
【００２５】
また、注水部２１および貫通孔２２ａ〜２２ｆをルアー本体２に形成することにより、ルアー本体２に作用する浮力を小さくすることができると共に、ルアー本体２の重量を軽減できる。これにより、通常よりも軽い錘体４でルアー１の浮遊姿勢を安定的に維持することができる。また、例えば、頭部２ａから尾部２ｂにかけての寸法が大きい大型のルアー本体２によりルアー１を形成した場合であっても、ルアー１の重量を軽減できるので、水面浮遊時におけるルアー１の姿勢を安定的に維持しつつ、ルアー１をキャストしにくいといった問題や、竿やリールに過度の負荷が生じることを効果的に防止することができる。
【００２６】
また、ルアー本体２の外表面と注水部２１とを貫通する貫通孔２２ａ，２２ｄが、ルアー本体２の頭部２ａ側における注水部２１の端部と、この端部に対応するルアー本体２の外表面部分とを貫通するように形成されているため、ルアー１が水面に浮遊するときにおいて、注水部２１に空気が溜まることを抑制することができ、ルアー１に作用する浮力を常に一定に維持することが可能になる。この結果、水面から突出するルアー１の頭部２ａの寸法を一定に保ちつつ、浮遊姿勢を安定化させることができる。
【００２７】
また、トップ・ウォーター型のルアーであって、特にペンシルベイトタイプのルアーでは、竿を上下左右に振動させるアクションおよびリトリーブを中断して、ルアー１の動きを停止させて魚にアピールする場合があるが、竿のアクションやリトリーブを中断したとき、ルアー１は、安定的に水面に浮遊する姿勢（ルアー１の尾部２ｂが水底方向に沈み、頭部２ａが水面から浮き出た姿勢）に戻ろうとする動きを伴うことになる。本実施形態に係るルアー１においては、注水部２１をルアー本体２の尾部２ｂに形成することによって、ルアー１の頭部２ａ、胴部、尾部２ｂ、尾端部２ｅの各領域における浮力を段階的に小さくすることができるので、ルアー１の動きを停止させた場合に生じる、安定的に水面に浮遊する姿勢にルアー１が戻ろうとする動きを素早くスムーズなものにすることが可能になる。このように、素早くスムーズにルアー１を安定的に浮遊する姿勢に戻すことができる結果、ルアー１の動きが大きくなるため、魚に強くアピールすることができる。
【００２８】
また、本実施形態に係るルアー１は、当該ルアー１に作用する浮力と、錘体４とのバランスを容易に調節することができる。例えば、ルアー１に作用する浮力を低下させて、水面から浮き出るルアー１の頭部２ａ領域を減少させる場合には、貫通孔２２ａ〜２２ｆの孔径を大きくすることにより、貫通孔２２ａ〜２２ｆが形成される領域近傍の体積を減少させればよい。あるいは、第２フックハンガー８の軸部８３に錘体を取り付けて、当該錘体が注水部２１内部に配置されるように構成すればよい。
【００２９】
逆に、ルアー１に作用する浮力を増加させて、水面から浮き出るルアー１の頭部２ａの領域を増加させる場合には、水に浮くフロート体を接着剤等により貫通孔２２ａ〜２２ｆ或いは注水部２１に取り付けることにより、貫通孔２２ａ〜２２ｆおよび注水部２１が形成されている領域近傍の体積を増加させればよい。あるいは、第２フックハンガー８の軸部８３にフロート体を取り付けて、当該フロート体が注水部２１の内部に配置されるように構成すればよい。また、注水部２１の内部に配置されるフロート体の大きさを適宜変更することにより、ルアー１の浮遊姿勢を水面と略平行となるように構成することもできる。
【００３０】
このように、本実施形態に係るルアー１は、ルアー本体２の内部に形成される注水部２１と、注水部２１に向けて貫通する貫通孔２２ａ〜２２ｆを有しているので、ルアー１の外表面の塗装が終了したような製造段階終期において、ルアー１の外観を大きく損なうことなく、ルアー１に作用する浮力と錘体４とのバランスを、適宜、変更することができる。また、各釣り人が、釣りを行う湖や海等における環境や天候、魚の活性の高低に応じて、釣りを行いながら、ルアー１に作用する浮力と錘体４とのバランスを容易に変更することもできる。
【００３１】
また、一般的に、ルアー本体２を木材により作成する場合には、使用する木材の部分により、水面から突出するルアー１の頭部２ａの寸法が異なってしまう。これは、同じ種類の木材であっても、ルアー本体２の製造に使用する木材の部分が、例えば、木の随（中心）に近い心材である場合、樹皮に近い辺材である場合、幹部である場合、枝部である場合等により、或いは、年輪の間隔が密である場合や、疎である場合等により、木材の比重が異なることに起因するものである。本実施形態に係るルアー１は、ルアー本体２の尾部側内部に形成される注水部２１と、注水部２１に向けて貫通する貫通孔２２ａ〜２２ｆを有しているので、ルアー本体２に作用する浮力を小さくすることができる。この結果、使用木材の比重の誤差に起因して発生する個々のルアー本体２間の浮力の誤差を小さくすることができるので、水面から突出するルアー１の頭部２ａの寸法の誤差を最小限にとどめることができる。
【００３２】
また、本実施形態に係るルアー１は、ルアー本体２の外形形状を細くしてルアーに作用する浮力を低下させるのではなく、ルアー本体２の内部に形成される注水部２１と、注水部２１に向けて貫通する貫通孔２２ａ〜２２ｆとの働きにより、ルアー１に作用する浮力を低下させるものである。この結果、ルアー本体２の外形形状としてどのような形状を採用したとしても、その形状に左右されることなく、浮力の小さいルアー本体２を形成することが可能になる。このようにルアー本体２の外形形状として多種多様な形状を採用することができる結果、ルアー本体２の外形形状を適宜変更することにより、ロッドアクション時或いはリトリーブ時の動きが異なる各種ルアー１を容易に形成することが可能になる。
【００３３】
以上、本発明に係るルアー１の一実施形態について説明したが、本発明の具体的な構成は上記実施形態に限定されない。例えば、図４に示すように、ルアー本体２の頭部２ａ内部に密閉空間９を形成する構成を採用することもできる。このような構成によれば、形成される密閉空間９の体積を適宜変更することにより、例えば、水の比重よりも大きい比重を有するプラスチック材料や金属材料を用いてルアー本体２を形成した場合であっても、ルアー本体２を水面に浮遊させることが可能になる。
【００３４】
また、上記実施形態においては、ルアー本体２は小魚を模倣した形状を有しているが、このような形状に特に限定されず、例えば、蝉や蛙等の生物を模倣した形状であってもよい。
【００３５】
また、上記実施形態においては、ルアー本体２の尾端部２ｅに錘体４を露出させて取り付けているが、例えば、ルアー本体２の内部に埋め込んで取り付けてもよい。
【００３６】
また、上記実施形態においては、ルアー本体２の尾部２ｂ側に注水部２１を形成しているが、例えば、ルアー本体２の頭部２ａ側に注水部２１を形成する構成を採用してもよく、或いは、ルアー本体２の頭部２ａ側から尾部２ｂ側にかけて注水部２１を形成してもよい。
【００３７】
また、上記実施形態に係るルアー１は、ペンシルベイト型のルアーであるが、このようなタイプのルアーに限定されない。例えば、ペンシルベイト型ルアー以外のトップ・ウォーター型ルアーであるポッパー、スイッシャー、バズ、ノイジー型のルアーであってもよい。また、ルアー１に作用する浮力と錘体４とのバランスを適宜変更することにより、シンキング型ルアーやフローティング型ルアーとして、ルアー１を構成してもよい。
【００３８】
また、上記実施形態に係るルアー１は、図３に示すように、複数の貫通孔２２ａ〜２２ｆが、ルアー本体２の背部２ｃおよび腹部２ｄに開口するように形成されているが、例えば、図５に示すように、ルアー本体２の側面部に開口するように形成してもよい。
【図面の簡単な説明】
【００３９】
【図１】本発明の一実施形態に係るルアーを示す上面図である。
【図２】本発明の一実施形態に係るルアーを示す側面図である。
【図３】図１におけるＡ−Ａ断面図である。
【図４】本発明に係るルアーの変形例を示す断面図である。
【図５】本発明に係るルアーのその他の変形例を示す断面図である。
【符号の説明】
【００４０】
１  ルアー
２  ルアー本体
２１  注水部
２２ａ〜２２ｆ  貫通孔
３  釣糸連結部（ラインアイ）
４  錘体
４１  孔部
５  第１釣針
５１  針部
５２  フックアイ
６  第２釣針
６１  針部
６２  フックアイ
７  第１フックハンガー
８  第２フックハンガー
８１  オスねじ部
８２  アイ
８３  軸部
【図１】
0005116452.tif 000002
【図２】
0005116452.tif 000003
【図３】
0005116452.tif 000004
【図４】
0005116452.tif 000005
【図５】
0005116452.tif 000006